(57)【要約】【課題】汚泥に含まれるリンを効率よく利用して好気性処理を行い、リンの添加量を少なくするとともに、余剰汚泥の発生量を少なくして、処理コストを低くし、処理水リン濃度も低くすることができる好気性処理方法および装置を得る。【解決手段】曝気槽１において生物汚泥の存在下に被処理液を好気的に生物処理し、固液分離槽２で固液分離して分離汚泥を曝気槽１に返送し、曝気槽１または固液分離槽２で分離した汚泥をｐＨ調整後、改質槽４においてオゾン処理等により易生物分解性に改質処理し、改質処理液を曝気槽１に導入して生物処理する際、不溶化槽４において改質処理液および／または生物処理液にリン不溶化剤を添加してリンを不溶化し、曝気槽１に導入して生物処理工程中に保持させることにより、汚泥に含まれるリンを効率よく利用して好気性処理を行う。【選択図】　図１
2004141746.tif 000002
【特許請求の範囲】
【請求項１】
好気性生物汚泥の存在下に被処理液の生物処理を行う生物処理工程と、
汚泥を易生物分解性に改質処理し、改質処理液を生物処理工程へ導入する改質工程と、
改質処理液および／または生物処理液中のリンを不溶化して生物処理工程中に保持させる不溶化工程と
を含む好気性処理方法。
【請求項２】
被処理液がリン欠乏有機性排液である請求項１記載の方法。
【請求項３】
不溶化工程が不溶化剤を添加してリンを析出させる工程である請求項１または２記載の方法。
【請求項４】
好気性生物汚泥の存在下に被処理液の生物処理を行う生物処理装置と、
汚泥を易生物分解性に改質処理し、改質処理液を生物処理装置へ導入する改質装置と、
改質処理液および／または生物処理液中のリンを不溶化して生物処理装置に保持させる不溶化装置と
を含む好気性処理装置。
【請求項５】
不溶化装置が改質装置の改質処理液中のリンを不溶化して生物処理装置に導入するように構成されている請求項４記載の装置。
【請求項６】
不溶化装置が生物処理装置の生物処理液中のリンを不溶化して生物処理装置に導入するように構成されている請求項４記載の装置。
【請求項７】
不溶化装置が不溶化剤を添加してリンを析出させる装置である請求項４ないし６のいずれかに記載の装置。
【発明の詳細な説明】
【０００１】
【発明の属する技術分野】
この発明は、好気性生物汚泥の存在下に被処理液を生物処理し、汚泥を易生物分解性に改質処理して、改質処理液を生物処理工程へ導入し生物処理を行う好気性処理方法および装置に関するものである。
【０００２】
【従来の技術】
有機性排液の好気性処理においては、微生物の良好な活動のためには、生物汚泥中にリンが含まれている必要がある。汚泥中に必要なリン含量を維持するために、通常の生物処理においては、被処理液（原水）に一定量のリンが含まれているか、それで不足の場合には、リン酸などの薬剤を注入する必要があった。このため被処理液がリン欠乏有機性排液である場合には、リン酸などの薬剤を注入するために、処理コストが高くなる。
【０００３】
一方、好気性生物汚泥の存在下に被処理液の生物処理し、汚泥を易生物分解性に改質処理して、改質処理液を生物処理工程へ導入し生物処理を行うことにより、生成する余剰汚泥量を減少させるか、あるいはゼロにする好気性処理方法が行われている。このような方法では、余剰汚泥中のリンが循環するため、被処理液がリン欠乏有機性排液である場合でも、少ないリン添加量で処理が可能とされている（例えば、特許文献１参照）。この方法では、汚泥の引き抜き量が少ないかゼロであるので、余剰汚泥引き抜きに伴う処理系からのリンの喪失量が少ないか、ゼロとなる。このため、特に余剰汚泥引き抜きゼロの場合には、処理水に含まれる低濃度のリンの流出分のみを補充すればよく、改質処理を行わない場合と比較して、わずかのリンの補給で済むとされている。
【０００４】
ところで、このようなリン補給の必要量を求めるため、汚泥改質工程を含む好気性処理系を実際に運転し、生物処理工程に流入するリンと、余剰汚泥引き抜きまたは処理水流出に伴って系外に流出するリンの収支を調査検討したところ、汚泥に固定されているリンは改質工程において改質処理液中に溶出し、この一部は想定されたとおり新たな汚泥の菌体として再合成されて固定されるが、残りの部分は処理水に流出し、この処理水に流出する分のリンの補給が不可欠であることが明らかとなった。
【０００５】
正常な汚泥に含有されるリンの、汚泥重量（ＶＳＳ重量）に対する割合は、０．５〜５％の範囲であり、この割合にリン含有率を維持するためには、被処理水中のリン濃度を０．３〜５ｍｇ／Ｌとする必要がある。改質工程において溶出するリン濃度の高い改質処理液を生物処理工程に導入すると、上記リン濃度の被処理液とすることができるが、このようなリン濃度の高い被処理液につき生物処理を行うと、リンの一部は新たな汚泥の菌体に固定されるが、残りの部分は高濃度のまま処理水に流出する。このような処理水は放流先水域の富栄養化防止の観点から、放流が許されない場合がある。また大量のリンの流出により生物処理工程におけるリン濃度が不足することになり、原水に十分なリンが含まれない場合は、リンを含む薬剤を注入する必要があり、運転コストが上昇するなどの問題点がある。
【０００６】
【特許文献１】
特開平６−２５４５８３号
【０００７】
【発明が解決しようとする課題】
本発明の課題は、汚泥に含まれるリンを効率よく利用して好気性処理を行い、リンの添加量を少なくするとともに、余剰汚泥の発生量を少なくして、処理コストを低くし、処理水リン濃度も低くすることができる好気性処理方法および装置を得ることである。
【０００８】
【課題を解決するための手段】
本発明は次の好気性処理方法および装置である。
（１）　好気性生物汚泥の存在下に被処理液の生物処理を行う生物処理工程と、
汚泥を易生物分解性に改質処理し、改質処理液を生物処理工程へ導入する改質工程と、
改質処理液および／または生物処理液中のリンを不溶化して生物処理工程中に保持させる不溶化工程と
を含む好気性処理方法。
（２）　被処理液がリン欠乏有機性排液である（１）記載の方法。
（３）　不溶化工程が不溶化剤を添加してリンを析出させる工程である（１）または（２）記載の方法。
（４）　好気性生物汚泥の存在下に被処理液の生物処理を行う生物処理装置と、
汚泥を易生物分解性に改質処理し、改質処理液を生物処理装置へ導入する改質装置と、
改質処理液および／または生物処理液中のリンを不溶化して生物処理装置に保持させる不溶化装置と
を含む好気性処理装置。
（５）　不溶化装置が改質装置の改質処理液中のリンを不溶化して生物処理装置に導入するように構成されている（４）記載の装置。
（６）　不溶化装置が生物処理装置の生物処理液中のリンを不溶化して生物処理装置に導入するように構成されている（４）記載の装置。
（７）　不溶化装置が不溶化剤を添加してリンを析出させる装置である（４）ないし（６）のいずれかに記載の装置。
【０００９】
本発明において処理の対象となる被処理液は、好気性処理によって処理可能な被処理液であって、一般の有機性排液が対象となるが、特にリンが含まれないか、あるいは少ないリン欠乏有機性排液が処理の対象として適している。リン含有量が被処理液中のＢＯＤの１／１００倍以下または炭素の１／５０倍以下の有機性排液が特に好ましい。
【００１０】
本発明の好気性処理方法では、生物処理工程において好気性生物汚泥の存在下に被処理液を好気的に生物処理し、生物処理工程で生成する汚泥を改質工程において易生物分解性に改質処理し、改質処理液を生物処理工程へ導入して生物処理する際、不溶化工程において改質処理液および／または生物処理液中のリンを不溶化して生物処理工程中に保持することにより、汚泥に含まれるリンを効率よく利用して好気性処理を行う。
【００１１】
本発明の好気性処理装置は、好気性生物汚泥の存在下に被処理液の生物処理を行うように生物処理装置を構成し、汚泥を易生物分解性に改質処理し、改質処理液を生物処理装置へ導入するように改質装置を構成し、改質処理液および／または生物処理液中のリンを不溶化して生物処理装置に保持させるように不溶化装置を構成する。不溶化装置は、改質装置の改質処理液中のリンを不溶化して生物処理装置に導入するように構成するか、あるいは生物処理装置の生物処理液中のリンを不溶化して生物処理装置に導入するように構成することができる。
【００１２】
本発明における生物処理は、好気性生物汚泥の存在下に被処理液を好気性生物処理する方法である。このような好気性生物処理としては公知の方法が採用でき、例えば曝気槽および汚泥分離部を備えた生物処理装置を用いる好気性処理系において、有機性排液を曝気槽に導入し、返送汚泥および曝気槽内の活性汚泥と混合して曝気処理し、曝気槽の混合液を汚泥分離部に導いて固液分離し、分離汚泥の一部を曝気槽に返送する標準活性汚泥法、およびその種々の変法などが採用できる。
【００１３】
改質処理は生物処理工程で生成する汚泥を易生物分解性に改質する処理である。生物汚泥は生物処理工程で生成するため、多くの微生物を含み、生物学的には安定であり、さらに生物処理を行っても減量は困難である。改質処理はこのような生物汚泥を易生物分解性に改質し、微生物が分解できるようにする処理である。改質処理を行う汚泥の量は、生物処理工程で発生する余剰汚泥相当量とすると、改質処理液から新しい汚泥が生成して余剰汚泥の減量化ができないので、余剰汚泥発生量よりも多い量とするのが望ましく、余剰汚泥発生量の３倍の汚泥を改質処理すると、余剰汚泥発生量がゼロになるので好ましい。この場合、好気性処理系に保持された活性汚泥の１／２以下を引抜汚泥として改質処理すれば、好気性処理系の汚泥活性が維持される。改質処理を行う汚泥は生物処理工程から引抜いてもよいし、生物処理工程の後段に設けられる汚泥分離工程から引抜いてもよい。
【００１４】
汚泥の改質処理の方法としては、オゾン、過酸化水素等の酸化剤による酸化分解、酸溶解、アルカリ溶解、加熱分解、酸／アルカリ添加加熱分解、ボールミルなどの磨砕処理、パルス放電処理などがあげられる。これらの中ではオゾンによる酸化分解（以下、オゾン処理という）が好ましい。
【００１５】
オゾン処理は汚泥をオゾンと接触させることにより改質処理する方法であり、例えば汚泥にオゾン含有空気を接触させることにより改質処理できる。過酸化水素による酸化分解は汚泥を過酸化水素と接触させることにより改質処理する方法であり、例えば過酸化水素が存在する状態で汚泥を放置することにより改質処理できる。
【００１６】
オゾン処理は引抜汚泥をｐＨ３−５に調製してオゾンを注入するのが好ましい。引抜汚泥当りのオゾン注入率は０．０１ｍｇ−Ｏ３／ｍｇ−ＳＳ以上、好ましくは０．０２ｍｇ−Ｏ３／ｍｇ−ＳＳ以上とするのが望ましい。オゾン注入率の上限は制限されないが、コスト的な面から０．２ｇ−Ｏ３／ｇ−ＳＳ以下、好ましくは０．１ｇ−Ｏ３／ｇ−ＳＳ以下とするのが望ましい。このようなオゾン注入率でオゾン処理することにより、好気性微生物の細胞壁の糖鎖長が小さくなって生分解性が非常に向上する。
【００１７】
酸溶解は汚泥を酸と接触させることにより改質処理する方法であり、酸としては、例えば塩酸、硫酸などが使用できる。アルカリ溶解は汚泥をアルカリと接触させることによりする方法であり、アルカリとしては、例えば水酸化ナトリウム、水酸化カリウムなどが使用できる。加熱分解は汚泥を加熱して改質処理する方法である。磨砕処理は汚泥をボールミルなどにより破壊して改質処理する方法である。パルス放電処理は電極間でパルス放電を行い改質処理する方法である。これらの方法は組合せることができ、例えば酸／アルカリ添加加熱分解は酸溶解、アルカリ溶解および加熱分解を組合せて可溶化する方法である。
【００１８】
改質処理により汚泥は易生物分解性に改質されるとともに、汚泥中のリンは改質処理液中に溶出する。好気性生物処理工程で用いられる微生物は通性嫌気性菌であって、嫌気性下ではリンをエネルギーとして利用するため、体内に大量のリンを蓄えている。このため改質処理液中に溶出するリンは高濃度となる。改質処理液を生物処理工程へ導入して生物処理すると、溶出したリンの一部は改質処理液から生成する新たな汚泥の菌体として再合成されて固定されるが、残りの部分は高濃度で処理水中に残留する。
【００１９】
本発明では、不溶化工程において改質処理液および／または生物処理液中のリンを不溶化して生物処理工程中に保持させることにより、汚泥に含まれるリンを効率よく利用して好気性処理を行うことができる。生物処理工程ではリンはリン酸塩のような溶解性の状態でも、また不溶性の状態でも微生物による利用が可能である。このため改質処理液および／または生物処理液中のリンを不溶化して生物処理工程の汚泥中に保持させることにより、汚泥の改質工程で溶出するリンを効果的に新たな汚泥に固定することができ、処理水のリン濃度を低下させるとともに、汚泥の栄養として補給されるリン含有薬剤（例えばリン酸）の使用量を少なくすることができる。
【００２０】
生物処理工程およびオゾンを用いた改質工程を含む好気性処理装置におけるリンの挙動を調査し、原水、栄養剤として注入されるリン薬剤、生物処理装置に存在する汚泥、改質処理された汚泥、処理水のそれぞれについて、溶解性のリン（主にリン酸態リン）と、固形物として存在するリンを分析してその収支を解析した結果、処理水に流出するリンが、主に改質工程で汚泥が改質される際に溶出する溶解性リンに由来することが明らかになった。また改質工程で溶出する溶解性リンは再び新たな汚泥の菌体に再合成されて固定されるが、改質処理する汚泥量が改質処理しない場合に発生すると想定される汚泥発生量より多い場合には、改質工程で溶出するリンの全てを新たな汚泥合成の栄養源として消費することができず、処理水に過剰のリンが流出することが明らかになった。処理水に流出するリンの形態はリン酸態リンが主体であるが、一部はリン脂質などの固形分の微細な懸濁物であり、後者は改質処理された汚泥が生物的に分解された残査または中間物であると推定される。
【００２１】
このため本発明では、液中に溶出したリンを不溶化工程において不溶化して生物処理工程中に保持させることにより、処理水にリンが流出することを防止する。不溶化の具体的な方法は、液中に溶出したリン酸態リンを不溶化剤の添加により固定して処理水へのリン酸態リンの流出を阻止し、固定されたリンを生物処理工程中に保持させることにより、生物汚泥に同化させる。不溶化工程は改質処理液および生物処理液のどちらか一方または両方に不溶化剤を添加して、リンを不溶化する。リンを不溶化した改質処理液および／または生物処理液は、生物処理工程中に送って保持することにより、リンの流出を阻止した状態で、微生物の利用を促す。
【００２２】
溶解性リンを固定させる不溶化剤としては、カチオンとしてアルミニウム、カルシウム、二価鉄、三価鉄を含む薬剤などがあり、リン酸と結合して水に難溶性の析出物を形成させる薬剤ならば有効である。特に塩化第二鉄は工業的に比較的安価であり、析出したリン酸鉄は汚泥中の微生物との親和性が良く、汚泥菌体として同化することが容易であるので好ましい。
【００２３】
薬剤の注入点は、系内の溶解性リンを含む改質処理液および／または生物処理液であればよいが、特に生物処理槽に戻す以前に改質処理液（汚泥）に注入すれば、溶解性リン濃度が高い場所にリン不溶化剤を注入することになるので効率が良い。また生物処理液に不溶化剤を注入する場合は、生物処理槽を出た生物処理液に不溶化剤を注入してリン酸を析出させ、生成した析出物を沈殿槽などの固液分離手段で分離し、分離されたリンを含む汚泥を生物処理系に戻すことができる。
【００２４】
【発明の効果】
本発明によれば、好気性生物汚泥の存在下に被処理液を好気的に生物処理し、生成する汚泥を易生物分解性に改質処理し、改質処理液および／または生物処理液中のリンを不溶化して生物処理工程中に保持するようにしたので、汚泥に含まれるリンを効率よく利用して好気性処理を行い、リンの添加量を少なくするとともに、余剰汚泥の発生量を少なくして、処理コストを低くし、処理水リン濃度も低くすることができる好気性処理方法および装置を得ることができる。
【００２５】
【発明の実施の形態】
以下、本発明の実施の形態を図面により説明する。図１（ａ）および（ｂ）はそれぞれ別の実施形態の好気性処理装置を示すフロー図である。
【００２６】
図１（ａ）および（ｂ）において、１は曝気槽、２は固液分離槽で、これらは生物処理装置を構成している。３はｐＨ調整槽、４は改質槽で、これらは改質装置を構成している。５は不溶化槽であり、不溶化装置として設けられている。
【００２７】
図１（ａ）では、被処理液路１１が曝気槽１に連絡し、曝気槽１から連絡路１２が固液分離槽２に連絡している。固液分離槽２から処理液路１３が系外に、返送汚泥路１４が曝気槽１に連絡している。曝気槽１には送気路１５が連絡している。ｐＨ調整槽３には、曝気槽１から被改質汚泥路１６が連絡し、系外からｐＨ調整剤路１７が連絡している。改質槽４には、ｐＨ調整槽３から調整汚泥路１８が連絡し、系外からオゾンガス路１９が連絡している。不溶化槽５には、改質槽４から改質処理液路２１が連絡し、系外から中和剤路２２および不溶化剤路２３が連絡している。不溶化槽５から不溶化汚泥路２４が曝気槽１に連絡している。
【００２８】
図１（ａ）の好気性処理装置による好気性処理方法は、被処理液路１１から被処理液を曝気槽１に導入し、返送汚泥路１４から返送汚泥を導入し、送気路１５から空気を供給して、好気性生物汚泥の存在下に好気性生物処理を行い、被処理液中の有機物を分解する。曝気槽１の好気性処理液は連絡路１２から固液分離槽２に導入して固液分離し、分離液は処理液として処理液路１３から系外に排出し、分離した汚泥は返送汚泥路１４から曝気槽１に返送して好気性処理を継続する。
【００２９】
上記の処理中、曝気槽１内の生物汚泥の一部を被改質汚泥路１６からｐＨ調整槽３に引き抜き、ｐＨ調整剤路１７からｐＨ調整剤を供給してｐＨ３〜５に調整し、ｐＨ調整汚泥を調整汚泥路１８から改質槽４に導入する。改質槽４ではオゾンガス路１９からオゾン含有ガスを供給してオゾン処理を行って汚泥を易生物分解性に改質処理し、汚泥中のリンを溶出させる。
【００３０】
改質槽４の改質処理液は改質処理液路２１から不溶化槽５に導入し、中和剤路２２から中和剤および不溶化剤路２３から不溶化剤をそれぞれ供給して反応させ、改質処理液中のリンを不溶化し析出させる。リンが不溶化して析出した不溶化槽５の不溶化汚泥は、不溶化汚泥路２４から曝気槽１に供給して生物処理工程中に保持する。曝気槽１では、易生物分解性に改質された改質処理液中の有機物が生物分解されて、汚泥の減量化が行われる。このときリンは不溶化した状態で生物汚泥中に保持され、汚泥中の微生物により利用される。このため好気性処理液中のリン濃度は低く、処理液中に流出するリンの量は少ない。
【００３１】
図１（ｂ）では、不溶化槽５は曝気槽１と固液分離槽２の間に設けられており、曝気槽１から連絡路１２が不溶化槽５に連絡し、不溶化槽５から不溶化汚泥路２４が固液分離槽２に連絡している。そして固液分離槽２から曝気槽１に連絡する返送汚泥路１４から被改質汚泥路１６が分岐してｐＨ調整槽３に連絡し、改質槽４から改質処理液路２１が曝気槽１に連絡している。他の構成は図１（ａ）と同様である。
【００３２】
図１（ｂ）の好気性処理装置による好気性処理方法は、図１（ａ）の場合とほぼ同様に行われるが、曝気槽１の好気性処理液を連絡路１２から不溶化槽５に導入し、中和剤路２２から中和剤および不溶化剤路２３から不溶化剤をそれぞれ供給して反応させ、改質処理液中のリンを不溶化し析出させる。リンが不溶化して析出した不溶化槽５の不溶化汚泥は、不溶化汚泥路２４から固液分離槽２に導入して固液分離槽し、分離液は処理液として処理液路１３から系外に排出し、分離した汚泥は返送汚泥路１４から曝気槽１に返送して好気性処理を継続する。
【００３３】
このとき汚泥の一部を被改質汚泥路１６からｐＨ調整槽３に引き抜き、ｐＨ調整剤路１７からｐＨ調整剤を供給してｐＨ３〜５に調整し、ｐＨ調整汚泥を調整汚泥路１８から改質槽４に導入する。改質槽４ではオゾンガス路１９からオゾン含有ガスを供給してオゾン処理を行って汚泥を易生物分解性に改質処理し、汚泥中のリンを溶出させる。
【００３４】
改質槽４の改質処理液は改質処理液路２１から曝気槽１に導入して好気性処理を行うことにより、易生物分解性に改質された改質処理液中の有機物が生物分解されて、汚泥の減量化が行われる。改質処理により溶出したリンの一部は微生物により利用されて、新しく生成する汚泥中に固定され、過剰分は前述のように不溶化槽５において不溶化され、返送汚泥路１４から曝気槽１に返送して生物処理工程中に保持される。
【００３５】
【実施例】
以下、本発明の実施例について説明する。
【００３６】
実施例１：
図１の（ａ）において、生物処理装置として、容量５００Ｌの曝気槽１および容量２４０Ｌの固液分離槽２からなる活性汚泥装置を用いる好気性処理装置により、被処理液として、液糖および魚肉エキスを主成分とする合成排水（原水ＢＯＤ濃度；４００ｍｇ／Ｌ、処理流量；１２５０Ｌ／日、ＢＯＤ槽負荷；１．０ｇ−ＢＯＤ／Ｌ／日、リン酸濃度（０〜６０日目）；２．０ｍｇ−Ｐ／Ｌ、リン酸濃度（６１〜１２０日目）；０．５ｍｇ−Ｐ／Ｌ）を処理した。
【００３７】
試験開始時の汚泥ＭＬＳＳ濃度を５０００ｍｇ／Ｌとし、曝気槽１の汚泥１００〜１５０Ｌ／日をポンプで連続的に引き抜き、硫酸を加えてｐＨ３．０〜３．６に調整してから、改質槽４に導入して２０ｍｇ−ｏｚｏｎｅ／ｇ−ＭＬＳＳのオゾンと反応させ、不溶化槽５でＮａＯＨを加えてｐＨ６〜７に中和してから曝気槽に戻すことにより汚泥の減量化を行い、運転期間中の汚泥ＭＬＳＳ濃度を４５００〜５５００ｍｇ／Ｌの範囲に保った。余剰汚濁の引き抜きは、行わなかった。リンの不溶化は、不溶化槽５において、オゾン処理した改質処理液に対して１５ｍｇ−Ｆｅ／Ｌに相当する塩化第二鉄溶液を加えて行った。
【００３８】
比較例１：
実施例１と同様の装置で同様の排水処理を行い、塩化第二鉄の注入を行わない条件で、試験を行った。
【００３９】
比較例２：
実施例１と同様の装置で同様の排水処理を行い、試験後半の運転６１〜１２０日目の間のみ、塩化第二鉄の注入を行わない条件で、試験を行った。
【００４０】
実施例１および比較例１〜２の結果として、処理水の全リン濃度の推移を図２に示した。ここでは処理水リンの指標として、リン酸濃度ではなく、全リン濃度を採用した。これは一度汚泥に摂取されたリンが再溶出して処理水に流出する場合には、リン酸態以外の有機リンなどの形態をとる可能性があるためである。
【００４１】
比較例１では、原水リン酸濃度とほぼ同等の２ｍｇ−Ｐ／Ｌ程度のリンが処理水に流出した。運転６１日目からは流入水のリン濃度を０．５ｍｇ−Ｐ／Ｌに低減させたが、処理水リン濃度は０．５ｍｇ−Ｐ／Ｌまでは低下せず、処理水リン濃度が流入リン濃度を上回る状態がしばらく続いた。これは汚泥中に固定されていたリンが溶解し、処理水に流出したものと考えられる。
【００４２】
比較例２では、試験前半では処理水リン濃度が１ｍｇ−Ｐ／Ｌ程度であり、比較例１よりも低かった。これはリンが塩化第二鉄により、汚泥中に固定された効果と認められた。ところが運転後半に流入リン濃度を低下させ、同時に塩化第二鉄の注入を停止したところ、処理水リン濃度が流入リン濃度を大幅に上回る結果となった。これは汚泥中に固定されたリンが溶解して、処理水に流出した結果と考えられる。
【００４３】
一方、実施例１においては、運転前半の処理水リン濃度が１ｍｇ−Ｐ／Ｌ以下であり、比較例１よりも明らかに低かった。これは塩化第二鉄を注入した効果と認められた。運転後半に流入リン濃度を低減したところ、処理水リン濃度はさらに低下した。
【００４４】
実施例１および比較例１〜２の結果として、汚泥中のリン含有率の推移を図３に示し、汚泥の呼吸活性（ＯＵＲ）の推移を図４に示し、処理水ＴＯＣの推移を図５に示し、汚泥沈降性の推移を図６に示した。
【００４５】
比較例１では図３に示すように、運転前半では２％−Ｐ／ＶＳＳ程度のリン含有率であったが、運転後半に原水リンを低下させたところ、０．２％−Ｐ／ＶＳＳ程度に低下し、リン欠乏状態となった。このため図４〜６に示すように、呼吸活性の低下と、処理水水質の悪化と、汚泥沈降性の悪化（ＳＶＩの上昇）が起きた。
【００４６】
比較例２では図３に示すように、運転前半ではリン含有率が徐々に上昇して３．５％−Ｐ／ＶＳＳ程度になったが、運転後半に流入リン濃度を低下させたところリン含有率が０．２％−Ｐ／ＶＳＳ程度まで低下し、リン欠乏状態となった。このため図４〜６に示したように、呼吸活性の低下と、処理水水質の悪化と、汚泥沈降性の悪化（ＳＶＩの上昇）が起きた。
【００４７】
一方、実施例１においては図３に示すように、運転開始時２．０％であったリン含有率が４１日目までは徐々に上昇し、その後運転終了の１２０日目まで３．５％−Ｐ／ＶＳＳ程度で推移した。運転後半に原水リンを低下させても、この値は低下しなかった。呼吸活性、処理水水質、汚泥沈降性も図４〜６に示すように、運転期間を通じて良好な値に維持された。
【図面の簡単な説明】
【図１】（ａ）および（ｂ）はそれぞれ別の実施形態の好気性処理装置を示すフロー図である。
【図２】実施例１および比較例１〜２の結果として、処理水の全リン濃度の推移を示すグラフである。
【図３】実施例１および比較例１〜２の結果として、汚泥中のリン含有率の推移を示すグラフである。
【図４】実施例１および比較例１〜２の結果として、汚泥の呼吸活性（ＯＵＲ）の推移を示すグラフである。
【図５】実施例１および比較例１〜２の結果として、処理水ＴＯＣの推移を示すグラフである。
【図６】実施例１および比較例１〜２の結果として、汚泥沈降性の推移を示すグラフである。
【符号の説明】
１　曝気槽
２　固液分離槽
３　ｐＨ調整槽
４　改質槽
５　不溶化槽
１１　被処理液路
１２　連絡路
１３　処理液路
１４　返送汚泥路
１５　送気路
１６　被改質汚泥路
１７　ｐＨ調整剤路
１８　調整汚泥路
１９　オゾンガス路
２１　改質処理液路
２２　中和剤路
２３　不溶化剤路
２４　不溶化汚泥路
【図１】
2004141746.tif 000003
【図２】
2004141746.tif 000004
【図３】
2004141746.tif 000005
【図４】
2004141746.tif 000006
【図５】
2004141746.tif 000007
【図６】
2004141746.tif 000008